(57)【要約】【課題】放射線画像撮影装置を放射線装置と接続してから放射線画像撮影装置が撮影可能な状態となるまでの時間を短縮する。【解決手段】画像データを生成可能な画像生成手段と、放射線装置１から延びるケーブル１５を差し込み可能なコネクター２８と、コネクター２８へケーブル１５が差し込まれたことを認識する認識手段と、画像生成手段の状態を画像データの生成が可能な撮影可能状態又は画像データの生成が不可能な撮影不能状態に切り替える状態制御手段と、を有する放射線画像撮影装置２と、を備え、状態制御手段は、画像生成手段が撮影不能状態にあるときに、ケーブル１５が差し込まれたことを認識手段が認識したことに基づいて、撮影可能状態へ切り替える。【選択図】図２
2019017625.tif 000002
【特許請求の範囲】
【請求項１】
放射線を生成可能な放射線源を有する放射線装置と、
画像データを生成可能な画像生成手段と、前記放射線装置から延びるケーブルを差し込み可能なコネクターと、前記コネクターへ前記ケーブルが差し込まれたことを認識する認識手段と、前記画像生成手段の状態を前記画像データの生成が可能な撮影可能状態又は前記画像データの生成が不可能な撮影不能状態に切り替える状態制御手段と、を有する放射線画像撮影装置と、を備え、
前記状態制御手段は、前記画像生成手段が前記撮影不能状態にあるときに、前記ケーブルが差し込まれたことを前記認識手段が認識したことに基づいて、前記撮影可能状態へ切り替えることを特徴とする放射線画像撮影システム。
【請求項２】
前記放射線装置は、当該放射線装置を識別するための識別情報が記憶された情報記憶手段を有し、
前記放射線画像撮影装置は、
前記コネクターに差し込まれた前記ケーブルを介して前記識別情報を取得する情報取得手段と、
前記情報取得手段が取得した前記識別情報に基づいて、前記ケーブルで接続された前記放射線装置の種類を判別する放射線装置判別手段と、を有し、
前記状態制御手段は、前記撮影可能状態に切り替える際に、複数種類ある撮影可能状態のうち、前記放射線装置判別手段が判別した放射線装置の種類に対応する撮影可能状態に切り替えることを特徴とする請求項１に記載の放射線画像撮影システム。
【請求項３】
１回の撮影につきパルス状の同期信号を複数回出力可能な同期信号出力部を備え、
前記放射線源は、前記同期信号出力部から前記同期信号が入力される度に放射線を生成することが可能に構成され、
前記画像読み出し手段は、前記同期信号出力部から前記同期信号が入力される度に画像データを生成することが可能に構成され、
前記状態制御手段は、前記放射線装置判別手段が判別した放射線装置の種類が、前記同期信号が入力される度に放射線を生成するものであった場合は、前記同期信号が入力される度に画像データを生成する動画撮影可能状態に切り替えることを特徴とする請求項２に記載の放射線画像撮影システム。
【請求項４】
前記放射線装置は、本体と、前記本体から分離不能に取り付けられた前記ケーブルと、を備え、
前記情報記憶手段は、前記ケーブル先端のプラグに備えられ、
前記情報取得手段は、前記コネクターへ前記ケーブルが差し込まれたときに、前記情報記憶手段から直接識別情報を読み込むことを特徴とする請求項２又は３に記載の放射線画像撮影システム。
【請求項５】
前記放射線装置は、前記情報記憶手段に記憶された前記識別情報を、前記ケーブルを介して前記放射線画像撮影装置へ送信する送信手段を備え、
前記情報取得手段は、前記放射線装置から前記ケーブルを通って送信されてきた前記識別情報を受信することを特徴とする請求項２又は３に記載の放射線画像撮影システム。
【請求項６】
放射線装置から延びるケーブルを差し込み可能なコネクターと、
前記コネクターに差し込まれる前記ケーブルからパルス状の同期信号を受信したことに基づいて画像データを生成する画像生成手段と、
前記コネクターに差し込まれる前記ケーブルから識別情報を取得する情報取得手段と、
前記情報取得手段が取得した前記識別情報に基づいて、前記ケーブルで接続される前記放射線装置の種類を判別する放射線装置判別手段と、
前記画像生成手段の状態を前記画像データの生成が可能な撮影可能状態又は前記画像データの生成が不可能な撮影不能状態に切り替える状態制御手段と、を備え、
前記状態制御手段は、前記画像生成手段が前記撮影不能状態にあるときに、前記ケーブルが差し込まれたことを前記認識手段が認識したことに基づいて、前記撮影可能状態へ切り替えることを特徴とする放射線画像撮影装置。
【発明の詳細な説明】
【技術分野】
【０００１】
本発明は、放射線画像撮影システム及びこのシステムを構成する放射線画像撮影装置に関する。
【背景技術】
【０００２】
放射線を生成する放射線装置と、放射線を受けて画像データを生成する放射線画像撮影装置と、を備えた放射線画像撮影システムにおいて、近年、静止画だけでなく動画の撮影に対応したものが開発されている。このようなシステムでは、放射線装置と放射線画像撮影装置とがケーブル等で接続され、これらにパルス状の同期信号が１回の撮影につき複数回送信されるようになっている。そして、放射線装置及び放射線画像撮影装置が、同期信号に従って放射線照射と画像データ生成を繰り返すことにより、動画が撮影される。
また、様々な撮影形態に対応し易くするため、こうした放射線画像撮影システムを構成する放射線画像撮影装置として、可搬型のものを採用するケースが増えてきている。
【０００３】
ところで、こうした放射線画像撮影システムが複数備えられている施設（規模の大きな病院等）においては、放射線装置と放射線画像撮影装置の組み合わせが撮影毎に変わる場合が出てくる。しかし、複数ある放射線装置や放射線画像撮影装置が全て動画撮影に対応しているとは限らない。もし、誤って動画撮影に対応していない装置を用いて動画撮影を行ってしまうと、所望の動画が得られず、被検者が無駄に被曝することとなってしまう。
そこで、近年、ブッキー装置に放射線画像撮影装置（ＦＰＤ）が装填されたときに、ブッキー装置がこれらの識別情報であるカセッテＩＤ及びブッキーＩＤをコンソールに送信し、コンソールが受信したＩＤに基づいて撮影の可否を判断する技術が提案されている（特許文献１参照）。
【０００４】
また、可搬型の放射線画像撮影装置は、バッテリーを内蔵し、外部から電源供給を受けずに撮影が行えるようになっているものが多い。このような放射線画像撮影装置は、無駄な電力消費を抑制するため、例えば特許文献２に記載されているように、撮影可能な撮影可能モードや消費電力量が少ないが撮影不能な省電力モード等に切り替えることが可能となっているものが多い。
【先行技術文献】
【特許文献】
【０００５】
【特許文献１】特開２０１２−１１０４５１号公報
【特許文献２】特開２０１５−１１２３５８号公報
【発明の概要】
【発明が解決しようとする課題】
【０００６】
特許文献１に記載された放射線画像撮影システムは、カセッテＩＤとブッキーＩＤがコンソールへ送信され、コンソールがこれらのＩＤに基づいて動画撮影が可能か否かを判断し、その後更に、ユーザーから動画撮影の指示を受けることによって初めて放射線画像撮影装置が撮影可能な状態に切り替わるため、放射線画像撮影装置がブッキー装置に装填されてから実際に撮影が行われるまでに長い時間を要し、ユーザーや被検者を待たせることになってしまう。
特に、特許文献２に記載されたような、撮影を行っていないときに省電力モードに切り替わる放射線画像撮影装置の場合には、撮影可能モードへの切り替えは更に時間を要することになってしまう。
【０００７】
本発明は、上記の点に鑑みてなされたものであり、放射線を生成する放射線装置と、放射線装置とケーブルで接続され、ケーブルを介して入力された同期信号に基づいて撮影を行う放射線画像撮影装置と、を備えた放射線画像撮影システムにおいて、放射線画像撮影装置を放射線装置と接続してから放射線画像撮影装置が撮影可能な状態となるまでの時間を短縮することを目的とする。
【課題を解決するための手段】
【０００８】
前記の問題を解決するために、本発明は、
放射線を生成可能な放射線源を有する放射線装置と、
画像データを生成可能な画像生成手段と、前記放射線装置から延びるケーブルを差し込み可能なコネクターと、前記コネクターへ前記ケーブルが差し込まれたことを認識する認識手段と、前記画像生成手段の状態を前記画像データの生成が可能な撮影可能状態又は前記画像データの生成が不可能な撮影不能状態に切り替える状態制御手段と、を有する放射線画像撮影装置と、を備え、
前記状態制御手段は、前記画像生成手段が前記撮影不能状態にあるときに、前記ケーブルが差し込まれたことを前記認識手段が認識したことに基づいて、前記撮影可能状態へ切り替えることを特徴とする。
【発明の効果】
【０００９】
本発明によれば、放射線画像撮影装置を放射線装置と接続してから放射線画像撮影装置が撮影可能な状態となるまでの時間を短縮することができる。
また、放射線画像撮影装置のコネクターへケーブルが差し込まれた後、すぐに動画撮影の準備処理を開始できるため、従来のようにユーザーの指示を受けてから準備処理を開始する場合に比べて、ユーザーや被検者の待ち時間を増やすことなく準備処理により多くの時間をかけることができる。その結果、放射線画像撮影装置の状態が十分に整ってから撮影できるようになるため、動画の画質を向上させることができる。
【図面の簡単な説明】
【００１０】
【図１】本発明の第１実施形態に係る放射線画像撮影システムが配置された施設の一部を表す模式図である。
【図２】図１の放射線画像撮影システムの構成を表すブロック図である。
【図３】図１の放射線画像撮影システムを構成する放射線画像撮影装置の斜視図である。
【図４】図２の放射線画像撮影装置の制御部が実行する撮影前処理を表すフローチャートの一例である。
【図５】本発明の第２実施形態に係る放射線画像撮影システムの構成を表すブロック図である。
【発明を実施するための形態】
【００１１】
＜第１実施形態＞
以下、図を参照して本発明の第１実施形態について詳細に説明する。
ただし、発明の範囲は、図示例に限定されるものではない。
【００１２】
〔放射線画像撮影システムの構成〕
まず、本実施形態に係る放射線画像撮影システム１００の構成について説明する。図１は、本実施形態に係る放射線画像撮影システム１００が配置された施設の一部を表す模式図である。
【００１３】
本実施形態の放射線画像撮影システム１００は、図１に示したように、放射線装置１や、放射線画像撮影装置２、コンソール３等で構成されている。
また、放射線画像撮影システム１００は、図示しない放射線科情報システム（Radiology Information System：ＲＩＳ）や、画像保存通信システム（Picture Archiving and Communication System：ＰＡＣＳ）等への接続が可能となっている。
【００１４】
放射線装置１は、同期信号出力部１１、ジェネレーター１２、曝射スイッチ１３、放射線源１４等を備えている。なお、図１には、これらが別々に分かれたものを示したが、一体となっていてもよい。
同期信号出力部１１は、曝射スイッチ１３が操作されたことに基づいて、ジェネレーター１２及び放射線画像撮影装置２にそれぞれパルス状の同期信号を出力するようになっている。静止画の撮影では、一回の撮影につき一回だけ同期信号が送信され、動画の撮影では、一回の撮影につき同周期の同期信号が複数回繰り返し送信される。
なお、同期信号出力部１１は、放射線装置１から独立した装置として構成してもよい。
【００１５】
ジェネレーター１２は、同期信号出力部１１から同期信号が入力される度に、予め設定された放射線照射条件（管電圧や管電流、照射時間（ｍＡｓ値）等）に応じた電圧を放射線源１４に印加することが可能に構成されている。
なお、図１には、曝射スイッチ１３がジェネレーター１２に接続された場合を示したが、同期信号出力部１１や図示しない操作卓に備えるようにしてもよい。
【００１６】
放射線源１４（管球）は、図示しない回転陽極やフィラメント等を有している。そして、ジェネレーター１２から電圧が印加されるとフィラメントが電圧に応じた電子ビームを回転陽極に向けて照射し、回転陽極が電子ビームの強度に応じた線量の放射線Ｘを生成させるようになっている。
また、放射線源１４は、水平方向に延びる回転軸によって回転させ、放射線の照射口を、水平方向に向けた状態（立位の撮影を行う状態）又は鉛直下方に向けた状態（臥位の撮影を行う状態）に切り替えることが可能となっている。
【００１７】
放射線画像撮影装置２は、放射線装置１の同期信号出力部１１と接続されており、放射線Ｘを受けると、複数の画素に放射線の強弱に応じた電荷をそれぞれ蓄積し、放射線装置１の同期信号出力部１１から同期信号が入力される度に、各画素に蓄積された電荷量に基づく信号値を読み出して、各信号値に基づく画像データを生成するように構成されている。そして、生成した画像データを自身で保持したりコンソール３へ送信したりするようになっている。
放射線画像撮影装置２は、撮影台と一体化された専用機型のものでも、可搬型（カセッテ型）のものであっても差し支えないが、可搬型とすることが好ましい。
なお、放射線画像撮影装置２の詳細については後述する。
【００１８】
コンソール３は、コンピューターや専用の装置等で構成されており、図示しない制御部や、記憶部等の他、表示部３１、操作部３２等を備えている。
そして、コンソール３は、操作部３２が操作されたことに基づいて、各種撮影条件（上述した各種放射線照射条件や、被検者（被写体）の体格、撮影部位、撮影方向等の被検者に関する条件）を設定することが可能となっている。
また、コンソール３は、放射線画像撮影装置２から受信した画像データに所定の画像処理を施してプレビュー用画像データや診断用画像データを生成し、このデータに基づく画像を表示部３１に表示することが可能となっている。
なお、図１には、コンソール３が、放射線装置１とは別になった場合を示したが、コンソール３は、放射線装置１と一体に構成されていてもよい。
【００１９】
この放射線画像撮影システム１００を施設（病院等）に設置する場合には、例えば図１に示したように、放射線装置１の同期信号出力部１１、ジェネレーター１２や、放射線源１４、放射線画像撮影装置２等を、撮影室Ｒａ内に配置し、放射線装置１の曝射スイッチ１３や、コンソール３等を、撮影室Ｒａと隔てられた前室Ｒｂ（操作室）に設置するようにする。
なお、放射線画像撮影装置２が可搬型のものである場合には、図１に示したように、撮影台（立位撮影用の撮影台４Ａや臥位撮影用の撮影台４Ｂ）のカセッテホルダー４１に装填して用いることが可能である。このようにすれば、一の放射線画像撮影装置２で、立位の撮影と臥位の撮影の両方に対応することができる。
【００２０】
このように構成された放射線画像撮影システム１００は、放射線画像撮影装置２が撮影台４Ａ，４Ｂに装填された状態で、ユーザー（放射線技師等）が曝射スイッチ１３を操作すると、放射線装置１の同期信号出力部１１が、パルス状の同期信号を、ジェネレーター１２及び放射線画像撮影装置２へそれぞれ送信する。この同期信号を受け、放射線装置１が、予め設定された条件で放射線Ｘを放射線画像撮影装置２の手前又は上に位置する被検者へ照射するとともに、放射線画像撮影装置２が、被検者の画像データを生成する。すなわち、放射線装置１と放射線画像撮影装置２とが同期して動作する。同期信号出力部１１が一回の撮影につき複数回の同期信号を出力する動画撮影の場合には、放射線装置１による放射線Ｘの照射と放射線画像撮影装置２による画像データの生成が繰り返され、複数のフレーム画像データからなる動画データが生成される。
【００２１】
〔放射線装置と放射線画像撮影装置の接続〕
次に、本発明の要部である、放射線装置１と放射線画像撮影装置２との接続について説明する。図２は放射線画像撮影システム１００のブロック図、図３は放射線画像撮影装置２の斜視図である。
【００２２】
本実施形態の放射線装置１は、図２に示したように、インターフェースケーブル１５（以下ケーブル１５）を有している。ケーブル１５は、例えばＬＡＮケーブル等で構成可能であり、先端にプラグ１５１を有している。ケーブル１５の基端は放射線装置１の本体（同期信号出力部１１等）に固定されている。すなわち、本実施形態のケーブル１５は、放射線装置１毎に専用のものとなっており、本体から分離不能に（使い回しができないように）取り付けられている。
なお、ケーブル１５の混同が生じる心配が無い場合には、取り外し可能としても差し支えない。
【００２３】
また、プラグ１５１は、その内部又は表面に、不揮発性メモリー（例えばＥＥＰＲＯＭ等）のチップ１５２を備えている。
また、プラグ１５１には、複数の端子１５３，１５４が形成されている。一部の端子１５３は、ケーブル１５内の信号線１５５（同期信号出力部１１）と接続されており、残りの端子１５４はチップ１５２と接続されている。
【００２４】
チップ１５２（情報記憶手段）には、各放射線装置１を識別するための固有のＩＤ（識別情報）が記憶されている。本実施形態で用いるＩＤは、例えば、文字や数字のランダムな羅列等、ＩＤ自体は意味を持たない様式となっている。
なお、ＩＤの様式は特に限定されるものではなく、桁毎にメーカーや動画撮影機能の有無等を表すような様式としてもよい。
【００２５】
本実施形態に係る放射線画像撮影装置２は、筐体２１の他、この筐体２１に収納される、制御部２２や、放射線検出部２３、読み出し部２４、記憶部２５、通信部２６、ＩＤ用インターフェース２７、コネクター２８等を備えて構成されており、各部２２〜２７はバス２９によって接続されている。また、図示しない内蔵電源から各部２２〜２７へ電力が供給されるようになっている。
【００２６】
筐体２１の一側面には、図３に示したように、電源スイッチ２１ａや切替スイッチ２１ｂ、インジケーター２１ｃ等が設けられるとともに、コネクター２８が露出している。
【００２７】
制御部２２は、ＣＰＵ、ＲＡＭ等で放射線画像撮影装置２の各部の動作を統括的に制御するように構成されている。具体的には、電源スイッチが入れられたことや、放射線装置１から所定の制御信号を受信したこと、放射線装置１から放射線を受けたこと等に基づいて、記憶部２５に記憶されている各種処理プログラムを読み出してＲＡＭに展開し、当該処理プログラムに従って各種処理を実行する。
【００２８】
放射線検出部２３は、放射線を受けることで放射線の線量に応じた量の電荷を発生させる複数の放射線検出素子が二次元状に配列された基板を有するものであればよく、従来公知のものを用いることができる。
すなわち、放射線画像撮影装置２は、シンチレーターを備え、シンチレーターが放射線を受けることで発した光を検出するいわゆる間接型のものであってもよいし、シンチレーター等を介さずに放射線を直接検出するいわゆる直接型のものであってもよい。
【００２９】
読み出し部２４は、複数の放射線検出素子がそれぞれ発生させた電荷量を信号値として読み出し、各信号値に基づいて画像データを生成することが可能に構成されていればよく、従来公知のものを用いることができる。
【００３０】
記憶部２５は、ＨＤＤ（Hard Disk Drive）や半導体メモリー等により構成され、各種処理プログラムや、当該プログラムの実行に必要なパラメーター、ファイル等を記憶している。
また、記憶部２５は、読み出し部２４が生成した画像データを、撮影対象の被検者情報や、各種撮影条件と対応づけて記憶しておくことが可能となっている。
また、記憶部２５には、本実施形態に係る放射線装置１や他の放射線装置が有するそれぞれ異なる複数のＩＤと、各ＩＤに対応する放射線装置が実行可能な撮影モード（静止画撮影モード、動画撮影モード）を対応付けるテーブルが記憶されている。
【００３１】
通信部２６は、インターフェース回路によって構成されている。
ＩＤ用インターフェース２７は、例えば１−ｗｉｒｅ（登録商標）やＩ２Ｃ等で構成されている。
【００３２】
コネクター２８は、放射線装置１から延びるケーブル１５を差し込み可能に構成されている。
また、コネクター２８には、ケーブル１５のプラグ１５１に形成された端子１５３，１５４に対応する複数の端子２８１，２８２が形成されており、一部の端子２８１は、通信部２６に接続されており、残りの端子２８２は、ＩＤ用インターフェース２７に接続されている。
【００３３】
このコネクター２８にケーブル１５のプラグ１５１が差し込まれることで、プラグ１５１の一部の端子１５３がコネクター２８の一部の端子２８１と接触して通信部２６が放射線装置１の同期信号出力部１１と通信可能となり、プラグの残りの端子１５４がコネクター２８の一部の端子２８２と接触して制御部２２によるチップ１５２の記憶内容（ＩＤ）の読み込みが可能となる。
【００３４】
このように構成された放射線画像撮影装置２の制御部２２は、記憶部２５に記憶されている処理プログラムに従って以下のような動作をする。
例えば、制御部２２は、通信部２６が同期信号を受信したことに基づいて、読み出し部２４に、放射線検出部２３の各放射線検出素子に蓄積された電荷量に基づく画像データを生成させることが可能となっている。すなわち、制御部２２や、放射線検出部２３、読み出し部２４は、本発明における画像生成手段として機能する。
また、制御部２２は、生成した画像データを記憶部２５へ記憶したり、通信部２６を用いて外部へ送信したりすることが可能となっている。なお、画像データの出力は、画像データが生成され次第自動で行うようにしてもよいし、外部からの送信の要求に基づいて行うようにしてもよい。
【００３５】
また、制御部２２は、コネクター２８に、ケーブル１５のプラグ１５１が差し込まれたときに、コネクター２８に差し込まれたケーブル１５を介してＩＤを取得するようになっている。本実施形態では、プラグ１５１に埋め込まれたチップ１５２からＩＤを直接読み込むようになっている。すなわち、制御部２２は、本発明における情報取得手段として機能する。そして、制御部２２は、ＩＤを読み取れたことを以て、コネクター２８へケーブル１５が差し込まれたと認識するようになっている。すなわち、制御部２２は、本発明における認識手段としても機能する。
また、制御部２２は、ＩＤを読み取った後、記憶部２５に記憶されたテーブルを参照して、ケーブル１７で接続された放射線装置１の種類を判別することが可能となっている。すなわち、制御部２２は、本発明における放射線装置判別手段として機能する。
【００３６】
また、制御部２２は、放射線検出部２３や読み出し部２４（画像生成手段）の状態を、放射線検出素子への電荷の蓄積が可能となり可能画像データの生成が可能な曝射待機状態（撮影可能状態）、又は消費電力が低下して画像データの生成が不可能な省電力状態（撮影不能状態）に切り替えることが可能となっている。すなわち、制御部２２は、本発明における状態制御手段として機能する。
具体的には、制御部２２は、曝射待機状態にあるときに、所定条件が成立したこと（例えば、コンソール３から撮影終了の指示を受けたことや、同期信号を受信しない状態が所定期間以上継続したこと等）に基づいて、放射線画像撮影装置２の状態を省電力状態に切り替えるようになっている。
【００３７】
また、制御部２２は、省電力状態にあるときに、ケーブル１５が差し込まれたことを認識したことに基づいて、曝射待機状態へ切り替えるようになっている。
また、制御部２２は、曝射待機状態に切り替える際に、複数種類ある撮影可能状態のうち、判別した放射線装置１の種類に対応する曝射可能状態に切り替える。
本実施形態における曝射待機状態には、静止画撮影モードの曝射待機状態と動画撮影モードの曝射待機状態の２種類があるため、判別した放射線装置の種類が、静止画撮影に対応したものであった場合には、静止画撮影モードの曝射待機状態に切り替え、動画撮影に対応したもの（同期信号が入力される度に放射線Ｘを生成するもの）であった場合は、動画撮影モードの曝射待機状態に切り替える。
【００３８】
次に、この放射線画像撮影装置２が実行する撮影前処理について説明する。図４は撮影前処理のフローチャートである。
この撮影前処理は、例えば、放射線画像撮影装置２の状態が省電力状態に切り替えられたことを契機として実行される。
【００３９】
この撮影前処理では、まず、コネクター２８にケーブル１５のプラグ１５１が差し込まれたか否か、すなわち、放射線装置１のＩＤを取得できたか否かを判定する（ステップＳ１）。このステップＳ１の処理は、プラグ１５１が差し込まれた（ステップＳ１；Ｙｅｓ）と判定されるまでの間繰り返される。
ステップＳ１において、コネクター２８にプラグ１５１が差し込まれた、すなわち、放射線装置１のＩＤを取得できたと判定した場合（ステップＳ１；Ｙｅｓ）は、省電力状態から復帰する処理を行い（ステップＳ２）、取得したＩＤに対応する放射線装置の種類、すなわち、差し込まれたケーブル１５が動画撮影に対応しているか否かを判別する（ステップＳ３）。
【００４０】
ステップＳ３において、取得したＩＤに対応する放射線装置が動画撮影に対応していない、すなわち、静止画撮影に対応したものであると判定した場合（ステップＳ３；Ｎｏ）は、静止画撮影モードで撮影するための準備処理を行う（ステップＳ４）。そして、静止画撮影モードの曝射待機状態に移行して（ステップＳ５）、撮影前処理を終了する。
【００４１】
一方、ステップＳ３において、取得したＩＤに対応する放射線装置が動画撮影に対応したものであると判定した場合（ステップＳ３；Ｙｅｓ）は、撮影情報が入力されているか否かを判定する（ステップＳ６）。
ステップＳ６において、撮影情報が入力されていると判定した場合（ステップＳ６；Ｙｅｓ）は、入力された撮影情報に含まれる撮影条件が動画撮影であるか否かを判定する（ステップＳ７）。
ステップＳ７において、撮影条件が動画撮影ではない、すなわち、静止画撮影であると判定した場合（ステップＳ７；Ｎｏ）には、上述したステップＳ４の処理に進む。
【００４２】
ステップＳ６において、撮影情報が入力されていないと判定した場合（ステップＳ６；Ｎｏ）、又はステップＳ７において、撮影条件が動画撮影であると判定した場合（ステップＳ７；Ｙｅｓ）は、動画撮影モードで撮影するための準備処理を行う（ステップＳ８）。そして、撮影情報が入力されているか否かを判定する（ステップＳ９）。このステップＳ９の処理は、撮影情報が入力された（ステップＳ９；Ｙｅｓ）と判定されるまでの間繰り返し実行される。
ステップＳ９において、撮影情報が入力されたと判定した場合（ステップＳ９；Ｙｅｓ）は、入力された撮影情報に含まれる撮影条件が動画撮影であるか否かを判定する（ステップＳ１０）。
【００４３】
ステップＳ１０において、撮影条件が動画撮影ではない、すなわち、静止画撮影であると判定した場合（ステップＳ１０；Ｎｏ）には、上述したステップＳ４の処理に進む。
一方、ステップＳ１０において、撮影条件が動画撮影であると判定した場合（ステップＳ１０；Ｙｅｓ）は、上述したステップＳ５の処理を行い、撮影前処理を終了する。
本実施形態の撮影前処理は、動画撮影を行う場合のステップ数が静止画撮影を行う場合に比べて多くなっているが、動画撮影の準備処理は時間がかかり、静止画撮影の準備処理は短時間で済むため、このフローでもユーザーの待ち時間が少なくすることが可能である。
【００４４】
このように、本実施形態に係る放射線画像撮影システム１００は、放射線を生成可能な放射線源１４を有する放射線装置１と、画像データを生成可能な画像生成手段と、放射線装置１の本体から延びるケーブル１５を差し込み可能なコネクター２８と、コネクター２８へケーブル１５が差し込まれたことを認識する認識手段と、画像生成手段の状態を画像データの生成が可能な曝射待機状態（撮影可能状態）又は画像データの生成が不可能な省電力状態（撮影不能状態）に切り替える状態制御手段と、を有する放射線画像撮影装置２と、を備え、状態制御手段は、画像生成手段が省電力状態にあるときに、ケーブル１５が差し込まれたことを認識手段が認識したことに基づいて、曝射待機状態へ切り替えるようになっている。
【００４５】
従来は、コンソールで放射線装置や放射線画像撮影装置の種類を判別し、ユーザーから指示を受けた後に、省電力状態から曝射待機状態へ切り替える処理を行っていたため、ユーザーや被検者は、状態の切り替えが完了するのを比較的長時間待ち続けなければならなかった。しかし、本実施形態のようにすることで、放射線画像撮影装置２が放射線装置１に接続されると直ちに放射線装置１に対応した曝射待機状態へ切り替えが行われるため、放射線画像撮影装置２を放射線装置１と接続してから放射線画像撮影装置が曝射待機状態となるまでの時間を短縮することができ、ひいては、放射線画像撮影システムの使い勝手や診察の効率を向上させることができる。
また、放射線画像撮影装置（画像生成手段）のコネクター２８へケーブル１５が差し込まれた後、すぐに動画撮影の準備処理を開始できるため、従来のようにユーザーの指示を受けてから準備処理を開始する場合に比べて、ユーザーや被検者の待ち時間を増やすことなく準備処理により多くの時間をかけることができる。その結果、放射線画像撮影装置の状態が十分に整ってから撮影できるようになるため、動画の画質を向上させることができる。
【００４６】
＜第２実施形態＞
次に、本発明の第２実施形態について説明する。
なお、ここでは、第１実施形態との相違点についてのみ説明することとし、共通する構成については説明を省略する。
【００４７】
図５は、本実施形態に係る放射線画像撮影システム１００Ａの構成を表すブロック図である。
第１実施形態では、ケーブル１５を放射線装置１の本体から分離不能のものとし、ＩＤを記憶するチップ１５２がケーブル１５のプラグ１５１に備えられたものとしたが、本実施形態に係る放射得線画像撮影システム１００Ａは、図５に示したように、チップ１６を放射線装置１Ａの本体に備えるようにしている。
なお、本実施形態におけるケーブル１５Ａは、放射線装置１Ａから分離不能であってもよいし、分離可能なものであってもよい。
【００４８】
これに伴い、本実施形態に係る放射線装置１Ａは、チップ１６に記憶されたＩＤを、ＩＤ用インターフェース１７からケーブル１５Ａを介して放射線画像撮影装置２Ａへ送信させるようになっている。すなわち、チップ１６やＩＤ用インターフェース１７は、本発明における送信手段として機能する。
【００４９】
本実施形態で用いるＩＤは、桁毎にメーカーや動画撮影機能の有無等を表すような様式となっている。
なお、本実施形態においても、ＩＤの様式は特に限定されるものではなく、第１実施形態のような、文字や数字のランダムな羅列等、ＩＤ自体は意味を持たない様式としてもよい。
【００５０】
また、本実施形態に係るケーブル１５Ａは、同期信号を送信するための信号線１５５とは別にＩＤを送信するための信号線１５６を備えている。信号線１５６の先端は、プラグ１５１の端子１５４と接続されている。
なお、ケーブル１５ＡにＩＤを送信するための信号線１５６を備えずに、ＩＤ用インターフェース１７と放射線画像撮影装置２とケーブル１５Ａとは別のケーブルで接続してＩＤを送信するようにしてもよい。
【００５１】
また、本実施形態に係る放射線画像撮影装置２Ａの記憶部２５Ａは、ＩＤと放射線装置１とを照らし合わせるテーブルや、制御部２２がテーブルを参照するためのプログラムを記憶していない。
そして、制御部２２は、ＩＤを読み取った後、テーブルを参照することなく、接続された放射線装置の種類を、読み取ったＩＤから直接識別するようになっている。
また、ＩＤ用インターフェース２７は、放射線装置１Ａからケーブル１５Ａを通って送信されてきたＩＤを受信するようになっている。
【００５２】
こうすることで、ケーブル１５Ａを各放射線装置１に固有のものとする必要が無くなるため、ケーブル１５Ａを使い回すことが可能となるし、放射線装置１が新しいものに更新される度に放射線画像撮影装置２に新しいテーブルを記憶させる必要がなくなる。
なお、本実施形態においても、第１実施形態のように、ＩＤを文字や数字のランダムな羅列とし、テーブルに基づいて識別するようにしてもよい。
【００５３】
以上、本発明を実施形態に基づいて具体的に説明してきたが、本発明は上記実施形態に限定されるものではなく、その要旨を逸脱しない範囲で変更可能である。
【符号の説明】
【００５４】
１００，１００Ａ  放射得線画像撮影システム
１，１Ａ  放射線装置
１１  放射線源
１１  同期信号出力部
１２  ジェネレーター
１３  曝射スイッチ
１４  放射線源
１５，１５Ａ  インターフェースケーブル
１５１  プラグ
１５２，１５３  端子
１５４  チップ
１６  チップ
１７  ＩＤ用インターフェース
２，２Ａ  放射線画像撮影装置
２１  筐体
２１ａ  電源スイッチ
２１ｂ  切替スイッチ
２１ｃ  インジケーター
２２  制御部
２３  放射線検出部
２４  読み出し部
２５，２５Ａ  記憶部
２６  通信部
２７  ＩＤ用インターフェース
２８  コネクター
２８１，２８２  端子
２９  バス
３  コンソール
３１  表示部
３２  操作部
４Ａ，４Ｂ  撮影台
４１  カセッテホルダー
Ｒａ  撮影室
Ｒｂ  前室
Ｘ  放射線
【図１】
2019017625.tif 000003
【図２】
2019017625.tif 000004
【図３】
2019017625.tif 000005
【図４】
2019017625.tif 000006
【図５】
2019017625.tif 000007